(57)【要約】【課題】被収納物の保存機能を損ねることなく、希望する被収納物の取出し量に容易に対応することができ、この種の包装用袋の取扱いを便利にする。【解決手段】被収納物Ｗを収納する収納空所２の外側周縁部が密封された袋本体１を主体として構成される包装用袋であって、袋本体１の少なくとも一つの隅部には収納空所２を開封して被収納物Ｗを取出すための開口部４を形成すべく切除可能な切取り部５を形成し、この開口部４内面には凸条片と凹条片とからなる開閉用ファスナー部６を形成したものである。【選択図】  図１
2004250012.tif 000002
【特許請求の範囲】
【請求項１】
被収納物を収納する収納空所の外側周縁部が密封された袋本体を主体として構成される包装用袋であって、該袋本体の少なくとも一つの隅部には前記収納空所を開封して被収納物を取出すための開口部を形成すべく切除可能な切取り部を形成し、この開口部内面には凸条片と凹条片とからなる開閉用ファスナー部を形成したことを特徴とする包装用袋。
【請求項２】
請求項１に記載の包装用袋であって、袋本体が隅部を有する矩形を含む多角形状に形成されていることを特徴とする包装用袋。
【発明の詳細な説明】
【０００１】
【発明が属する技術分野】
本発明は、一旦開封した開口部を再度閉口することができる再閉自在な包装用袋に関するものである。
【０００２】
【従来の技術】
一般に、この種の再閉自在な包装用袋にあっては、長方形等の矩形に形成された袋本体の上縁の形状に沿って収納空所を開封する切取り線を形成し、その下部に開封された開口部位を再度閉口する凸条片と凹条片とからなる開閉用ファスナー部が形成されている。（例えば、特許文献１参照。）
【０００３】
【特許文献１】
実開平７−４４７２９号（［００１４］、図１）
【０００４】
【発明が解決しようとする課題】
しかしながら、上記した従来の包装用袋においては、被収納物を取出し易くするために矩形状の袋本体のその一辺（上縁部）に沿って開口部を形成して、その開口部位に開閉用ファスナー部を設けている構成であるため、該開閉用ファスナー部によって被収納物を保存するという機能は満足するものの、その被収納物の取出し時にあっては、開口部（注ぎ口）が比較的大きく形成されているため、とくに、被収納物がごまやふりかけ等の粒状や粉体或いは流体の場合は、該被収納物が一度に出てしまい、希望する取出し量に対応することができず、その取扱いが不便であった。
そこで、本発明は、上記した問題点に鑑み、被収納物の保存機能を損ねることなく、希望する被収納物の取出し量に容易に対応することができ、この種の包装用袋の取扱いをきわめて便利にすることができる包装用袋を提供することを目的とする。
【０００５】
【課題を解決するための手段】
上記した課題を達成するために、本発明の請求項１の発明は、被収納物を収納する収納空所の外側周縁部が密封された袋本体を主体として構成される包装用袋であって、該袋本体の少なくとも一つの隅部には前記収納空所を開封して被収納物を取出すための開口部を形成すべく切除可能な切取り部を形成し、この開口部内面には凸条片と凹条片とからなる開閉用ファスナー部を形成したことを要旨とするものである。
【０００６】
この構成によれば、切除可能な切取り部を袋本体の隅部に形成することによって、袋本体に対し収納空所の開口部（注ぎ口）を最適の位置に設定することができ、希望する被収納物の取出し量に簡単かつ容易に対応することができる。そして、開閉用ファスナー部によって、被収納物の保存機能を充分に維持することができる。
【０００７】
また、本発明の請求項２の発明は、請求項１に記載の包装用袋であって、袋本体が隅部を有する矩形を含む多角形状に形成されていることを要旨とするものである。
【０００８】
この構成によれば、上記した請求項１の発明と同様に、袋本体に対し収納空所の開口部（注ぎ口）を最良の位置に設定することができ、希望する被収納物の取出し量に容易に対応することができる。
【０００９】
【発明の実施の形態】
以下、本発明の実施の形態について図にしたがって説明する。
図において、１は包装用袋の例えば、合成樹脂からなる袋本体を示し、全体がほぼ長方形の袋状に形成されている。この袋本体１は、例えば、ごまやふりかけ等の被収納物Ｗを収納するための該袋本体１の外郭形状に沿って形成された収納空所２と、その収納空所２の外側周縁部を密封する密封部３とを主体として構成されている。
【００１０】
前記袋本体１の上部の一つの隅角部には、収納空所２を開封して被収納物Ｗを取出すための開口部４を形成すべく切除可能な斜状に配した切取り線５ａを介して切取り部５が形成されていて、この開口部４縁の内面（袋本体１を構成する両側片部）には凸条片と凹条片とからなる開閉用ファスナー部６が該切取り線５ａに沿って斜状に形成されている。
【００１１】
上述のように構成された本実施の形態の包装用袋にあっては、切除可能な切取り部５を袋本体１の隅角部に切取り線５ａを介して形成することによって、袋本体１に対し収納空所２の開口部４（注ぎ口）を最適の位置に設定することができるものである。
【００１２】
しかして、切取り部５を切取り線５ａを介して切取り部５を袋本体１から切除して、その開口部４における開閉用ファスナー部６を指によりその両端から摘まんで、その閉口状態を解いて開口状態とすることによって袋本体１の隅角部に位置された開口部４（注ぎ口）を開口し、その開口部４（注ぎ口）から該開口部４（注ぎ口）を案内として被収納物Ｗを希望する取出し量に簡単かつ容易に対応して取出すことができる。（図３参照）
【００１３】
本実施の形態においては、被収納物Ｗがごまやふりかけ等の粒状や粉体或いは流体の場合においては、上記した作用効果が顕著に発揮されるものであり、また、収納空所２内に被収納物Ｗとともに乾燥剤が収納されている場合には、該乾燥剤が被収納物とともに開口部４（注ぎ口）から取出されることを未然に防止するものである。
【００１４】
そして、開閉用ファスナー部６によって、袋本体１の収納空所２を密封することができ、その被収納物Ｗの保存機能を充分に維持することができる。
【００１５】
本実施の形態にあっては、袋本体１をほぼ長方形の袋状に形成したが、これに代えて三角形状等、少なくとも隅角部が形成される多角形状の袋状を使用するとが可能である。
【００１６】
また、開口部４の切取り部５の切取り線５ａ側に指により把持できる摘み片を形成することによって開閉用ファスナー部６の開口動作を助長することも可能である。
【００１７】
そして、袋本体１は合成樹脂材で形成した場合について説明したが、これに限定するものではなく、他の材料で形成した場合でも対応可能である。
【００１８】
【発明の効果】
請求項１及び２の発明にあっては、切除可能な切取り部を袋本体の隅部に形成することによって、袋本体に対し収納空所の開口部（注ぎ口）を最良の位置に設定することができ、希望する被収納物の取出し量に容易に対応することができるとともに、開閉用ファスナー部によって、被収納物の保存機能を充分に維持することができ、この種の包装用袋の取扱いをきわめて便利にすることができる
【図面の簡単な説明】
【図１】包装用袋の全体を示す正面図である。
【図２】図１のＡ−Ａ線拡大断面図である。
【図３】使用状態を示す説明図である。
【符号の説明】
１  袋本体
２  収納空所
３  密封部
４  開口部
５  切取り部
Ｗ  被収納物
【図１】
2004250012.tif 000003
【図２】
2004250012.tif 000004
【図３】
2004250012.tif 000005